(57)【特許請求の範囲】
【請求項１】
証券用紙（１ａ）の証券印刷用印刷機であって、紙製シートの供給装置と、紙製シートを移送させる移送装置と、セキュリティイメージ（７）を適用する適用ユニットとを具備し、イメージ（７）は少なくとも一つのリボン（８、８ａ）によって支持され、該リボン（８、８ａ）は紙製シートと接触せしめられて、これらのイメージ（７）が、証券用紙（１ａ）上の印刷部分に対応する紙製シート（１）上の決定されたポイントに適用されるようになり、適用ユニットが、パッド（５２）が取り付けられたアプリケータ胴（５）を具備し、これらパッド（５２）は前記決定されたポイントと見当が合うようにアプリケータ胴の外周部に配置され、アプリケータ胴（５）がプレス胴（４）と協動し、アプリケータ胴とプレス胴との間を紙製シート（１）が通り、前記リボン（８、８ａ）は二つのリールの間に取り付けられ、これら二つのリールは、リボン（８、８ａ）を繰り出す繰出リール（Ｂ１、Ｂ２）およびリボンを巻き上げる巻上リール（２５）であり、リボン（８、８ａ）が紙製シート（１）の経路に対し平行に通っている証券印刷用印刷機において、プレス胴（４）に対して前記パッド（５２）を単純に接触させることによって紙製シート（１）の紙製シートに適用されるイメージ（７）を予め加熱するために、証券印刷用印刷機はリボン（８、８ａ）を予め加熱する加熱装置（１３）がアプリケータ胴（５）の上流に取り付けられており、
リボン（８、８ａ）を節約する観点から、リボンが、アプリケータ胴（５）とプレス胴（４）との間を通る紙製シート（１）と同期して前進せしめられ、リボン（８、８ａ）の前進作用を減速せしめ、かつ次の紙製シートが到着するのを待機しつつ紙製シート（１）がアプリケータ胴（５）を離れるとリボン（８、８ａ）を紙製シートの長さとほぼ等しい距離に亘って後退せしめ、リボン（８、８ａ）を次の紙製シートと見当合わせするのを許容する手段を備えた、証券用紙の証券印刷用印刷機。
【請求項２】
前記手段が、アプリケータ胴（５）の下流に配置されてリボン（８、８ａ）を前進せしめる一対のアドバンスローラ（１４）と、予め加熱する加熱装置の上流にあってリボン（８、８ａ）を後退せしめる一対のバッキングアップローラ（１２、１２'）と、リボン（８、８ａ）に設けられる見当用マーク（２７）を読み込む読込装置（２６）と、バッキングアップローラ（１２、１２'）の上流とアドバンスローラ（１４）の下流とに配置されてリボンの速度が変更されるときに前記バッキングアップローラ（１２、１２'）とアドバンスローラ（１４）とに助勢作用を提供する助勢手段（１１、１５）とを具備した請求項１に記載の証券用紙の証券印刷用印刷機。
【請求項３】
速度が変更されるときに、前記バッキングアップローラ（１２、１２'）とアドバンスローラ（１４）とを助勢する前記助勢手段（１１、１５）が、リボン（８、８ａ）の区分を吸い込む二つの負圧ボックスである請求項２に記載の証券用紙の証券印刷用印刷機。
【請求項４】
リボン（８、８ａ）が一組のターンローラ（１６から２１）によって案内され、それによりリボン（８、８ａ）がアプリケータ胴（５）とプレス胴（４）との間をこれらアプリケータ胴およびプレス胴の軸線方向に関してずれた位置で少なくとも二回目の通過をするようになっている請求項１から３のうちのいずれか一項に記載の証券用紙の証券印刷用印刷機。
【請求項５】
第一のリボン（８）に関して軸線方向にずれた位置でイメージ（７）を適用する少なくとも第二のリボン（８ａ）を具備する請求項１から４のうちのいずれか一項に記載の証券用紙の証券印刷用印刷機。
【請求項６】
イメージが証券用紙（１ａ）の一端から他端に延びるストリップであり、アプリケータ胴のパッドが、証券用紙（１ａ）の長さに対応する長さの環状セグメントである請求項１から３のうちのいずれか一項に記載の証券用紙の証券用紙用印刷機。
【請求項７】
アプリケータ胴（５）のパッド（５２）に加熱手段が備え付けられる請求項１から６のうちのいずれか一項に記載の証券用紙の証券用紙用印刷機。
【請求項８】
前記予め加熱する加熱装置が高温空気、赤外線、もしくは放射線を採用する請求項４に記載の証券用紙の証券用紙用印刷機。
【請求項９】
前記予め加熱する加熱装置が二つの平行なプレートを具備し、接着剤（８、８ａ）と同じ側にある一方のプレートが熱を放射し、接着剤の他側に配置される他方のプレートが、前記一方のプレートにより放射される熱を反射するよう構成される請求項４に記載の証券用紙の証券用紙用印刷機。
【発明の詳細な説明】
【０００１】
【発明の属する技術分野】
本発明は特に紙幣用紙などの証券用紙の証券印刷用印刷機に関し、紙製シートの供給装置と、紙を移送させる移送装置と、セキュリティイメージを適用する適用ユニットとを具備し、イメージは少なくとも一つのリボンによって支持され、このリボンは紙と接触せしめられて、これらのイメージが、証券用紙上の印刷部分に対応する紙上の決定されたポイントに適用されるようになり、適用ユニットが、パッドが取り付けられたアプリケータ胴を具備し、これらパッドは前記決定されたポイントで見当が合うようにアプリケータ胴の外周部に配置され、アプリケータ胴がプレス胴と協動し、アプリケータ胴とプレス胴との間を紙が通り、前記リボンは二つのリールの間に取り付けられ、これら二つのリールは、リボンを繰り出す繰出リールおよびリボンを巻き上げる巻上リールであり、リボンが紙の経路に対し平行に通っている証券用紙の証券印刷用印刷機に関する。
【０００２】
【従来の技術】
特に紙幣用紙などの証券用紙を、再製造物の品質を向上させている特に写真複写機の使用によって再製造することによる偽造を困難にするために、フィルム形式のイメージを適用することによってこれら証券用紙にセキュリティ（ｓｅｃｕｒｉｔｙ）の領域を形成することはすでに公知の実施方法である。これらのイメージはしばしば光学的に可変のイメージであって、見る角度に応じて定まる、外観を変更する特性を有するキネグラム（ｋｉｎｅｇｒａｍ）もしくはホログラムを具備している。これらのイメージは高温もしくは低温で適用されうる。本願出願人による欧州特許出願公開第０６２５４６６号公報においては、二つの部分を有する接着剤を使用することによりそのようなイメージが低温で適用されるのを許容する設備が開示されている。接着剤の第一部分は、シート上に部分的もしくは完全に印刷されている紙幣用紙上の所望のポイントに適用される。シートを触媒に通過させることによりこの接着剤の第一部分は乾燥せしめられる。その後、アプリケータ胴とプレス胴とを使用することにより、接着剤の第二部分を有するイメージが単に圧力の作用によって先ほど選択されたポイントに適用される。
【０００３】
上述される印刷機においては、リボンがアプリケータ胴の母線に沿って二つのカセットの間を進む。シートのいくつかのポイントにいくつかのイメージが単一の通過作用で適用されるのを許容するために、アプリケータ胴は多数の対のこれらカセットに取り付けられる。
他の形式の設備は、リボンにより生じせしめられる光学的に可変のイメージを適用する適用ユニットを具備しており、リボンは印刷すべき各コラムに対して一つ存在し、かつ繰出リールと巻上リールとの間に繰り出される。案内用およびテンション用のロールおよびローラから離れている二つのリール間の通路には胴が存在し、この胴は周方向の溝を有しており、この周方向の溝は橋部により中断される。前記リボンは前記周方向の溝に沿って通る。処理されるべきシートは前記胴とプレス胴との間を通り、橋部がプレス胴上を通過するごとにイメージの転写が起こる。アプリケータ胴は、イメージにより生じせしめられた接着剤を活性化するよう加熱される。所望の効果を得るため接着剤は十分に加熱されるべきであるので、アプリケータ胴の橋部とイメージとの間の接触は、一定時間の長さだけ持続する必要がある。このことは、アプリケータ胴の寸法とプレスロールの寸法とが、シートの寸法と、前記シートに部分的もしくは完全に印刷された証券用紙の寸法とに対して常に調整される必要があることを意味する。イメージを担持するリボンは連続的に通り、かつイメージが適用されるべきシートと同期する。この出願人によって製造された設備は満足のいくものである。
【０００４】
【発明が解決しようとする課題】
しかしながら、アプリケータ胴と、作用する時間の終わりまでに転写されるべきイメージとの間の接触を維持するために、紙の形式が変更されるごとにアプリケータ胴とプレス胴とに根本的な修正をする必要がある。さらに、イメージの転写に先行して、アプリケータ胴と接触するシートを保持するのに使用されるプレス胴は、紙が進む方向に関してシートの二つの端部において、長さ全体に沿ってシートを押しつぶす。特に、アプリケータ胴と接触したままのシートに関しては、シートがイメージを受け取る前に、二つの小ローラが、シートの端部に近いアプリケータ胴に対してシートを押圧し、それにより、アプリケータ胴の橋部がリボンと密接に接触し、かつ適用されるべきイメージ上の接着剤が所望の温度まで上げられることを許容する。次いで、シートはシートと同じ幅のプレス胴上を通り、このことがイメージが紙に適用されるのを許容する。
【０００５】
従って、初めからシートがアプリケータ胴に対して堅固に押圧されるのを確保する二つのローラによって及ぼされる圧力は、シート上に好ましくないマークを残す。
本発明の目的は、先に説明された印刷機に類似ではあるが上述される欠点を有しない印刷機を提案することである。
【０００６】
【課題を解決するための手段】
本発明による印刷機は、プレス胴または圧胴に対して前記パッドを単純に接触させることによって紙のシートに適用されるイメージを予め加熱するために、証券印刷用印刷機はリボンを予め加熱する加熱装置がアプリケータ胴（ａｐｐｌｉｃａｔｏｒ  ｃｙｌｉｎｄｅｒ）の上流に取り付けられている証券用紙の証券印刷用印刷機である。
【０００７】
この印刷機の利点は、シートに適用されるべきイメージを予め加熱するということにより、アプリケータ胴との良好な接触を確保するために、シートの二つの長手方向端部に対して押圧するプレスローラの使用義務を回避することができかつ所望の加熱作用を得ることができるという事実にある。さらに、アプリケータ胴のパッドと圧胴との間の単純な接触がリボンから紙上にイメージを転写するのに十分であるという事実によって、紙幣用紙もしくはシートの形式が変更されるときに印刷機を修正する必要がなくなる。軸線方向および周方向の両方に移動されるべきパッドに関しては、印刷されるべきシートおよび紙幣用紙の新しい寸法に適する必要がある。適用されるべきイメージを伴うリボンは、新しい寸法に対応する間隔を設けて用意される必要がある。
【０００８】
本発明の変更可能な一つの実施態様によると、印刷機は、リボンを節約する観点から、リボンが、アプリケータ胴とプレス胴との間を通るシートと同期して前進せしめられ、リボンの前進作用を減速せしめ、かつ次のシートが到着するのを待機しつつシートがアプリケータ胴を離れるとリボンをシートの長さとほぼ等しい距離に亘って後退せしめ、リボンを次のシートと見当合わせするのを許容する手段が証券印刷用印刷機に取り付けられる。
【０００９】
従って、この印刷機によって、リボンの長さを節約するのが可能であり、他の設備では、一つのシートの終了と次のシートの到着との間でさえもリボンが連続して進行方向を変える。これらのシートは少なくとも数センチメートルの間隔を常に空けられる。これらの手段には、一つのシートの末端と次のシートの先端との間の空間が、リボンの進行を減速し、リボンを後退させ、および次のシートの見当にリボンを持ってくるという利点がある。
【００１０】
これらの結果を得るのに使用される手段は、アプリケータ胴の下流に配置されてリボンを前進せしめる一対のアドバンスローラと、予め加熱する加熱装置の上流にあってリボンを後退せしめる一対のバッキングアップローラと、リボンに設けられる見当用マークを読み込む読込装置と、バッキングアップローラの上流とアドバンスローラの下流とに配置されてリボンの速度が変更されるときに前記バッキングアップローラとアドバンスローラとに助勢作用を提供する助勢手段もしくは助勢装置とを具備する。
【００１１】
有利なことに、ローラを助勢する前記助勢装置は二つの負圧ボックスであり、リボンはこれら負圧ボックス内に吸い込まれる。これにより、リボンが進む際に一定の量のあそびが形成されうる。従って、後に説明されるように、このあそびは突然の速度変更を減衰するよう使用されうる。
本発明の好ましい変更可能な他の実施態様によると、リボンは一組のターンローラによって案内され、シートの第二のコラムにイメージを適用するために、リボンはアプリケータ胴とプレス胴との間を、これらアプリケータ胴とプレス胴との軸線方向からずれた位置で少なくとも二回目の通過をするようになる。
【００１２】
好ましい変更可能な他の実施態様によると、印刷機は少なくとも一つの第二のリボンを具備する。これにより、第三のコラムにイメージを適用するのが可能となり、第二のリボンに二回目の通過をさせるターン手段がさらに印刷機に取り付けられた場合には第四のコラムにイメージを適用することさえ可能である。紙幣用紙の一つの長さに対応する間隔を伴ってリボン上にイメージを配置するのではないので、リボンの二回目の通過作用はリボンを節約するという利点を有する。イメージは半分の長さを離して配置される。このことは、リボンがプレス胴とアプリケータ胴との間を一回目に通るとき、シートに適用されるのが例えば奇数番号を付けられたイメージであり、リボンが二回目の通過をするとき、シートに適用されるのが偶数番号を付けられたイメージであることを意味する。これにより、リボンの長さを節約することができる。
【００１３】
最終的に、変更可能な他の実施態様によると、ポイントのイメージでなくストリップ全体を紙幣用紙に適用する必要がある場合には、パッドを環状セグメントに取り替えることによって、上述される設備を用いることで容易に達成可能である。これらのストリップが紙幣用紙の一定の長さに亘って適用されるべき場合には、この環状セグメントの長さはシートの長さかもしくは紙幣用紙の長さに等しい。
【００１４】
変更可能な他の実施態様によると、シートに対するイメージのより良好な接着剤を得るため、かつ種々のイメージのあらゆる温度差を減少させるために、アプリケータ胴のパッドも加熱されうる。
加熱手段は、例えば、高温空気、放射線、および赤外線から選択される。これらの加熱手段は二つの平行なプレートから形成されうる。一方のプレートは接着剤と同じ側に位置しており、他方のプレートは前記一方のプレートの熱を反射する機能を有する。
【００１５】
本発明は添付図面の助勢によりさらに詳細に開示される。
【００１６】
【発明の実施の形態】
当該印刷機（図１）は、部分的もしくは完全にシート１を受容する二つの渡し胴２、３を具備しており、このシート１上にリボン８からのイメージ７が付着される。印刷設備から離れているシート貯蔵部から通常の手段を介してシート１は到達する。渡し胴２、３は有利なことに吸引胴であってもよい。二つの渡し胴２、３の次には、二つのシート１を受容するようになっているプレス胴または圧胴４が存在する。シート１の進行方向に関して前端部を把持する把持手段４１は、シートが把持され、かつ矢印Ｆで示される胴の進行方向にシートが運ばれるのを許容する。それゆえ、プレス胴４には二つの溝４３によって分けられた二つの突出部分４２が取り付けられる。突出部分の一方の端部には、シート１の前端部を把持する把持手段４１が取り付けられる。
【００１７】
圧胴４の上方には、アプリケータ胴５が存在し、このアプリケータ胴５には、シート１に対してイメージ７を押圧するためのパッド５２を支えるリング５１が取り付けられる。
理論上は吸引胴である胴６は、シートが二つの胴４、５間を通過した後に、シート１をつかんで貯蔵装置へ移送させる。セキュリティイメージが付着しているシート１を貯蔵する前に、接着剤を冷却するためシート１は冷却装置をしばしば通過する。
【００１８】
本発明の設備は、二つのリールＢ１、Ｂ２を用い、各リールはリボン８、８ａをそれぞれ具備する。リボンが胴４、５間を通るとき、前記イメージが所望のポイントに適用されるように、リボン８、８ａにはこれらリボンの長さ部分に沿って配置されるイメージ７が設けられる。
ここでリボンの経路を簡単に説明する。この設備が実行可能な唯一の設備ではないことが理解される。リールＢ１から出発し、二つのターン用ローラもしくはロール９、１０はリボンが吸引装置１１へ向かって案内され、リボンがリボンを予め加熱する加熱装置１３を通る前に二つのバッキングアップローラ１２に案内され、次いでプレス胴４とアプリケータ胴５との間を通るのを許容する。吸引装置１１の使用は後に説明する。次に、リボンはアドバンスローラ１４間と、第二の吸引装置とを通り、ターンローラ１６、１７、１８および１９によって、二回目の通過のためにローラ２０、２１の助勢を伴って設備の上流部分を通る。今回の場合でもプレス胴とアプリケータ胴との間を仕上げのために第二のコラムに沿って通る前にリボンはバッキングアップローラ１２’の吸引装置１１’と加熱装置１３とを通り、ターンローラ２２、２３、２４で向きを変え、巻上リール２５へと進む。同様に、リールＢ２から出発し、同一のリール２５で巻かれる前に、リボン８ａは全体的に同様な装置を介して胴４、５間を二回通過する。シート１上で二つの連続的なイメージの間の距離に等しい距離で二つのリボン上に適用されるべきイメージを配置するのではないので、圧胴とアプリケータ胴との間におけるリボンの二重の通過作用によってリボンの長さを節約することができる。イメージは半分の距離ごとに配置され、リボンの第一の長さ部分がアプリケータ胴とプレス胴との間を通ると、例えば奇数番号が付けられたイメージが適用され、リボンの第二の長さ部分が通るときに適用されるのは、偶数番号が付けられたイメージである。従って、リボンの約半分の長さが節約される。
【００１９】
リング５１の間隔と、パッド５２の間隔とは、シート１に印刷される証券用紙１ａの寸法に応じて定まるのは明白である。シートの形式かもしくは証券用紙１ａの形式に変更がある場合には、アプリケータ胴５を変更するかもしくは単にリング５１およびパッドを完全に変更するか移動させることができ、それによりパッドはイメージが適用されるべきポイントで完全に見当が合うようになる。
【００２０】
使用されるリボン８、８ａが、印刷されるべきシート１と証券用紙１ａとの形式に対応するイメージ間に間隔を有するのは明らかである。
図２から図４の助勢によってこの印刷機の作用を説明する。
まず始めに、イメージが転写されるべきシート１の見当が合うようにリボンが持ってこられる。見当を合わせるため、リボンは規則的なマーク２７を有し、このマーク２７は読取装置２６によって読み取られる。読取装置２６は加熱装置１３の下流であって、かつプレス胴４とアプリケータ胴５という二つの胴とリボンが接触するポイントの上流に配置される。図面を不必要にさらに複雑にしないために、図１に示される設備にはこの読取装置２６は示されていない。読取装置２６はバッキングアップローラ１２とアドバンスローラ１４とがリボン８を正確に位置決めするために制御されるのを許容する。
【００２１】
加熱手段１３は、リボンを不必要に予め加熱しないように断続的に作用する。リボンが前述の胴の間を通過するので、この加熱手段は適用されるべきイメージを単に加熱することさえ可能である。図１に示す位置においては、加熱装置１３が停止しており、リボンもまた停止していて、見当用マーク２７が読取装置２６に対面している。胴４および胴５の二つの軸線を結ぶ線に紙製シート１が接近すると、図２において確認できるように、リボンはシート１と同期して移動し、リボン８によって支持されるイメージがパッド５２を用いながらシート１に対して押圧される。リボン８が移動し始めると、加熱装置１３は、リボンの長さ部分もしくは続くリボン上のイメージを加熱するよう起動される。この特別な例においては、吸引装置１５により助勢されてリボンを前方へ引き出すのはアドバンスローラ１４である。シート１上に転写されるべき最後のイメージ７が適用されると、アドバンスローラ１４を停止させることにより、加熱作用が停止し、リボンも同様に停止し、リボンにテンションをかけるために吸引装置１１の助勢によってバッキングアップローラ１２を作動せしめる。プレス胴４上の別のシート１にイメージ７を適用するために、プレス胴４とアプリケータ胴５とが開始位置になるよう回転し続けながら、リボン８はシートの長さにほぼ等しい長さだけ後退せしめられ、かつ見当用マーク２７の位置を読み取る読取装置２６の制御下で、ローラ１２、１４によって再び位置決めされる。この作用の間は、加熱装置１３は停止せしめられる。
【００２２】
胴５の位置が、次のシート１の前端部が二つの胴の軸線を結ぶ線と整列することを意味するようになると、先に説明されたプロセスが再開される。二つの吸引要素１１、１５は、ローラ１２、１４を助勢するリボン８の長さの一部を吸い込もうとし、何らかの方法でいくらかのあそびを形成する。一方で、リボンが突然に加速する場合には、好ましくないテンションをリールに引き起こすことなく、このあそびはこの加速作用が吸収されるのを許容する。他方で、或る減速作用がある場合には、このあそびは惰性により前進し続けるリボンの長さを吸い込むことにより速度差を吸収することもできる。
【００２３】
本発明の変更可能な好ましい実施態様によると、イメージ７がシート１に適用されるほぼ一定の温度を提供するために、パッド５２にも加熱作用があってもよい。
アプリケータ胴の母線に沿ってイメージを適用する作用が起こり、すなわちシートに印刷される証券用紙の一列のうちの四つの証券用紙に対して適用する作用が起こるので、リボン８に関する上述される工程は、このリボン８およびリボン８ａの第二の長さに対して適用可能であるのは明らかである。
【００２４】
パッドの寸法は、適用されるべきイメージの寸法にほぼ対応する。温度が調節されることが所望され、それにより予め加熱されたイメージが適切な温度の適用温度に達する。適用温度は、使用される接着剤と作業状況とに応じて定まるので予め加熱される温度が十分に高いときにはパッド５２は加熱されるべきではない。
【００２５】
変更可能な実施態様によると、イメージでなくストリップ全体を紙幣用紙に適用するよう設備を使用してもよい。この場合には、ここに示されるようなパッドを有する代わりに、環状セグメントであるパッドを用いる。この環状セグメントのパッドは、シートの一端から他端へシートに対し、もしくは紙幣用紙のみに対して直接的にストリップが適用されるのを許容する。この場合には、いくつかの分離した環状セクタを有することが必要である。
【００２６】
予め加熱する加熱手段１３は二つの平行なプレートから形成される。接着剤と同じ側に位置する一方のプレートは加熱プレートであり、他方は熱を反射するプレートである。
【図面の簡単な説明】
【図１】本発明の好ましい実施態様による印刷機の斜視図である。
【図２】印刷機の作用を説明することができる設備の部分側面図である。
【図３】印刷機の作用を説明することができる設備の部分側面図である。
【図４】印刷機の作用を説明することができる設備の部分側面図である。
【符号の説明】
１…シート
４…プレス胴
５…アプリケータ胴
７…イメージ
８…リボン
８ａ…リボン
１３…加熱装置
５２…パッド
【図１】
0004845072.tif 000002
【図２】
0004845072.tif 000003
【図３】
0004845072.tif 000004
【図４】
0004845072.tif 000005